(57)【特許請求の範囲】
【請求項１】
立設した杭打機のリーダのガイドレールに案内されて地中へ掘進する掘削具とベースマシンとの間を接続するホース類を支持する杭打機のホース類の支持装置において、リーダのほぼ中間高さ位置に設けられベースマシンからのホース類を吊持するハンガーと、リーダのガイドレールに摺動可能に係合してウインチに吊下げられた上部ガイドと、リーダの下部に固設されホース類の移動に伴って回動する下部ガイドとからなり、前記上部ガイドは該ハンガーからのホース類を吊持する固定ガイド部と、固定ガイド部から下部ガイドを経由したホース類を掘削具へ案内する回動可能な回動ガイド部とからなることを特徴とする杭打機のホース類の支持装置。
【請求項２】
チェーンの一端を前記上部ガイドに係止し、他端を下部ガイドおよび上部ガイドの回動ガイド部を経由させて掘削具へ係止し、該チェーンに所定間隔毎にホース類を係止するためのクランプを設け、掘削具の掘進に伴ってホース類にかかる引張力をチェーンで受けるようにしたことを特徴とする請求項１記載の杭打機のホース類の支持装置。
【請求項３】
請求項１または２のいずれかに記載の杭打機のホース類の支持装置を杭打機に組み付ける方法であって、上部ガイドと下部ガイドを連結し、ベースマシンのウインチで吊持し、上部ガイドをリーダのガイドレールに係合させ、さらに吊り上げて下部ガイドをリーダに固設し、その後上部ガイドと下部ガイドの連結を解除して上部ガイドを上昇させるようにしたことを特徴とする杭打機のホース類の支持装置の組付方法。
【発明の詳細な説明】
【０００１】
【発明の属する技術分野】
本発明は、杭打機のリーダに案内されて地中に掘進する掘削具とベースマシンとの間を接続するホースやケーブルの支持装置と、この支持装置を杭打機に簡便に組付ける方法に関するものである。
【０００２】
【従来の技術】
杭打機は、図７に示すように、履帯走行するベースマシン１の前方にリーダ２を立設し、リーダ２のガイドレール２ａにアースオーガや掘削具の駆動装置を昇降可能に装備して基礎工事を行うものであり、図７では油圧モータを備えた掘削具５を多段式のケリーバ４に取り付け、ケリーバ４をガイドレール２ａに係合させて吊持したものを示している。
【０００３】
そして、掘削具５が地中に掘進するにしたがい、ベースマシン１に設けた油圧源などに接続された油圧ホース７や信号用のケーブル６は、掘削具５とともに地中へ深進する。従来、油圧ホース７や信号用のケーブル６などのホース類は、リーダ２に回転可能に支持したホースリール５１およびケーブルリール５０に巻掛けて、掘削具５の昇降によって、ホースやケーブルが絡まったり、ベースマシン１の各部やワイヤロープなどと擦れたりするのを防止している。
【０００４】
【発明が解決しようとする課題】
しかしながら、こうした従来のものでは、ホースやケーブルが長い場合や本数が複数ある場合は、ホースリールやケーブルリールが大型化し重量も大きくなり、リーダへの取付が困難となったり、リーダを回動したときに他の装置、例えばペンダントロープ９と干渉してしまうといった問題がある。また、ホースリールやケーブルリールを杭打機に取り付ける場合には、別途クレーンを用意して高所作業で行わなければならない。
【０００５】
そこで、本発明は、地中へ掘進する掘削具とベースマシンとの間を接続するホース類を、簡便な構成で支持するホース類の支持装置と、この支持装置を杭打機に簡便に組付ける方法を提供するものである。
【０００６】
【課題を解決するための手段】
上記目的を達成するため、本発明では次の手段を採った。即ち、
立設した杭打機のリーダのガイドレールに案内されて地中へ掘進する掘削具とベースマシンとの間を接続するホース類を支持する杭打機のホース類の支持装置において、リーダのほぼ中間高さ位置に設けられベースマシンからのホース類を吊持するハンガーと、リーダのガイドレールに摺動可能に係合してウインチに吊下げられた上部ガイドと、リーダの下部に固設されホース類の移動に伴って回動する下部ガイドとからなり、前記上部ガイドは該ハンガーからのホース類を吊持する固定ガイド部と、固定ガイド部から下部ガイドを経由したホース類を掘削具へ案内する回動可能な回動ガイド部とからなることを特徴としている。
【０００７】
ここでいう杭打機は、油圧ハンマやパイルハンマなどの杭打専用機のことではなく、ベースマシンの前部にリーダを立設し、リーダのガイドレールにアースオーガや地盤改良装置などを係合案内させて、掘削などを行う基礎工事用建設機械を指している。そして、本発明は、掘削具に油圧モータや電動機が搭載され地中に深進するものに適用される。
【０００８】
したがって、アースオーガや油圧ハンマのように駆動装置（油圧モータ、電動機など）がリーダの全長の範囲を移動するだけのものは除外される。
ベースマシンからのホース類は、一旦リーダのほぼ中程に設けたハンガーで吊持され、さらに、リーダ上方の上部ガイドの固定ガイド部に吊持される。次いで、リーダの下部の下部ガイドを経由して上部ガイドの回動ガイド部へ掛け渡され、そして掘削具へ接続されている。上部ガイドはリーダのガイドレールに係合して吊持され、掘削具の掘進にともなってリーダに沿って下降する。すなわち、ベースマシンから固定ガイド部までは掘削具が掘進してもホース類が移動することがなく、下部ガイドと回動ガイド部では掘削具の昇降に伴って移動する。そのため、下部ガイドと回動ガイド部は、回動可能なガイドとし、ホース類と摺動しないようにしている。
【０００９】
上部ガイドを掘削具の掘進に伴って同期させて下降させるようにすれば、ホース類には引張力が作用しないので好ましい。
しかしながら、上部ガイドを掘削具の掘進に同期させて下降させるには、複雑な制御を必要とするので、上部ガイドを僅かの吊り力で常時吊持するのが簡便である。この場合、掘削具の掘進時に伴ってホース類が引張されて上部ガイドが下降するので、ホース類はこの引張力に耐えるものを使用する必要がある。
【００１０】
ホース類が引張力を受けないようにする手段としては、請求項２に記載のように、チェーンの一端を上部ガイドに係止し、他端を下部ガイドおよび上部ガイドの回動ガイド部を経由させて掘削具へ係止し、該チェーンに所定間隔毎にホース類を係止するためのクランプを設けて、掘削具の掘進に伴ってホース類にかかる引張力をチェーンで受けるようにするのがよい。なお、チェーンに代えてワイヤを用いても同様の効果が得られ、本発明はこれを除外するものではない。
【００１１】
本発明のホース類の支持装置を杭打機に組付ける場合は、請求項３に記載するように、上部ガイドと下部ガイドを連結し、ベースマシンのウインチで吊持し、上部ガイドをリーダのガイドレールに係合させ、さらに吊り上げて下部ガイドをリーダに固設し、その後上部ガイドと下部ガイドの連結を解除して上部ガイドを上昇させるようにすれば、他のクレーンを必要とせずに組付けができ、簡便である。
【００１２】
【発明の実施の形態】
以下、本発明の実施形態例を図面に基づいて詳細に説明する。なお、上記従来例で説明した図７と同じ構成部品であるものは同一の符号を用いている。
杭打機は図１に示すように、ベースマシン１の前部にバックステー３で支持したリーダ２を立設し、リーダ２のガイドレール２ａには下端に掘削具５を取り付けたケリーバ４が、図２に示すように、ベースマシン１に設けた主ウインチ１３からトップシーブ１５を介して掛け渡された主ワイヤ１７によって吊持されている。また、ケリーバ４は、アウタケリーバとインナケリーバとを備えた多段式のものであり、掘削具５は、内蔵する図示しない２台の油圧モータにより回転駆動される掘削刃を備えている。
【００１３】
そして、油圧モータに接続された複数本の油圧ホースは、ベースマシン１の油圧ユニットに接続されている。なお、掘削具５には地盤改良剤を供給するためのホースや信号ケーブルも接続されており、これらのホース類もベースマシン１に接続されている。
【００１４】
これらホース類を支持する装置は、リーダ２の背面のバックステー３の取付部から吊持したハンガー８と、リーダ２のガイドレール２ａに係合して昇降する上部ガイド１１とリーダ２の下部に固設された下部ガイド１２とから構成されている。そして、上部ガイド１１は、ベースマシン１に設けられたウインチ１６からトップシーブ１５を介して掛け渡されたワイヤ１４によって吊持されている。
【００１５】
ハンガー８は、ホースが折れ曲がることのないように適宜の径を有する半円弧状の部材であり、ベースマシン１から引き出されたホース類は、まず、このハンガー８によって吊持される。
上部ガイド１１は、図３に示すように、上部ガイド体２１の上部両側に連結部材２２を設け、これに固定ガイド部２６が固設されている。そして、その下部に軸２３を設け、これに回転ガイド部２７が設けられている。
【００１６】
上部ガイド体２１の上部にはウインチ１６から繰り出されたワイヤ１４で吊持するための滑車３０が設けられており、また、リーダ２のガイドレール２ａに係合させるためのガイド２４と、その下部にガイドレール２ａに係合して転動するガイドローラ２５が設けられている。
【００１７】
固定ガイド部２６は２枚の板部材２６ａを複数の連結棒２６ｂで連結してなり、この連結棒２６ｂの外側をホースが掛け渡される。
回転ガイド部２７は、一対のスプロケット２９が軸２３に回転可能に設けられており、図５に示すように、これにチェーン３５が架け渡されている。そして、このチェーン３５には約１ｍピッチでクランプ２８が固設されている。チェーン３５の一方の端部３７は板部材２７ａに連結され、他方の端部は掘削具５に連結されている。
【００１８】
なお、２７ｂは、上記連結棒２６ｂと同じもので、固定ガイド部２６の終端である。
次に、下部ガイド１２は、同じく図３に示すように、一対のスプロケット３４が軸３２に回転可能に設けられており、上記回転ガイド部２７と同様の構成を備えている。そして、このスプロケット３４にはチェーン３５が架け渡されている。なお、３３はリーダ２に固設するための係止部材である。また、４０は、上部ガイド１１と下部ガイド１２を連結する連結金具であり、運搬時や杭打機に取り付ける時に使用される。
【００１９】
クランプ２８は、図４に示すように、両端はチェーン３５のリンク３５ａに取り付けられ、２つ割りのクランプ材４３、４４をプレート４１、４２で挟んでボルト４７で締結されている。クランプ材４３、４４にはケーブルを挿通して固定する係止孔４６と、油圧ホースを挿通して固定する係止孔４５が形成されている。
【００２０】
次に、このように構成されたホース類の支持装置の作動について説明する。
まず、図１および図２に示すように、油圧ホース７やケーブル６などのホース類はベースマシン１の油圧駆動源や電源から、制御弁や操作盤を介してリーダ２の中程に吊持されているハンガー８に架け渡されて固定される。そして、ハンガー８からは、上部ガイド１１の固定ガイド部２６に架け渡され、次いで、下部ガイド１２のスプロケット３４に架け渡され、さらに、上方へ向けて、上部ガイド１１の回転ガイド部２７のスプロケット２９に架け渡されてから掘削具５に接続されている。
【００２１】
そして、ホース類は、上記、上部ガイド１１の固定ガイド部２６以降からは、引張力がかからないように、チェーン３５に取り付けられたクランプ２８に係止されている。
なお、掘削具５が地中を掘進するときは、ウインチ１３はワイヤの引き出し側が自由となっており、掘削具５の掘進に伴ってケリーバ４は下降する。
【００２２】
一方、上部ガイド１１を吊持するウインチ１６は、上部ガイド１１が降下しない程度の僅かの力によって吊持している。
したがって、掘削具５が掘進して下降するとチェーン３５を引っ張ることになり、上部ガイド１１はリーダ２に沿って下降する。これとともに、下部ガイド１２のスプロケット３４がチェーン３５の移動によって回動し、上部ガイド１１の回転ガイド部２７のスプロケット２９も同様に回動する。
【００２３】
なお、上部ガイド１１の下降量は掘削具５の掘進量のおよそ１／３となる。
一方、掘削具５を上昇させるとチェーン３５は緩もうとするが、ウインチ１６が常時吊り上げ状態にあるため、上部ガイド１１はリーダ２に沿って上昇する。次に、本発明のホースなどの支持装置を杭打機へ組付ける方法について図６に基づいて説明する。
【００２４】
まず、図６（ａ）に示すように、上部ガイド１１と下部ガイド１２が連結金具４０によって連結され、ホースなどを上部ガイド１１と下部ガイド１２に掛け渡したものをリーダ２側に向けてリーダ２の近くに置き、ベースマシン１からハンガー８に掛け渡したホースなどを、上部ガイド１１と下部ガイド１２に掛け渡したホースなどと接手などによって接続する。次に、ウインチ１６を作動させて、ワイヤ１４をトップシーブ１５から垂下し、上部ガイド１１の滑車３０に係合させるとともに、別のウインチを作動させて、そのワイヤ５５を上部ガイド１１の回転ガイド２７に係止して吊り上げる。
【００２５】
次に、図６（ｂ）に示すように、上部ガイド１１のガイド２４をリーダ２のガイドレール２ａに係合させて取り付け、さらにワイヤ１４およびワイヤ５５を吊り上げる。
そして、図６（ｃ）に示すように、下部ガイド１２がほぼリーダ２に固定する位置まで吊り上がったら、ワイヤ１４側だけを吊り上げて、上部ガイド１１のガイドローラ２５をリーダ２のガイドレール２ａに係合させ、下部ガイド１２をリーダ２の固定位置に係合させて係止金具３３で固定する。そして、連結金具４０を解放して、上部ガイド１１のみを吊り上げる。
【００２６】
このように、杭打機へホース類の支持装置を組付ければ、他のクレーンを使用せずに自力で簡便にできる。
なお、上記実施形態例では、掘削具が掘進する場合の引張力をチェーンで受けるようにしたが、ワイヤでもよい。なお、この場合スプロケット２９、３４はシーブを使用する。また、チェーンを使用する場合でもスプロケット２９、３４は必ずしも必要でなく、円板でもよい。さらに、ホースなどが引張力に耐え得るだけの強度を有するものを使用すれば、チェーンやワイヤを用いなくてもよい。
【００２７】
以上本発明は上記の実施形態に何等限定されるものではなく、本発明の要旨を逸脱しない範囲において種々なる態様で実施し得る。
【００２８】
【発明の効果】
以上説明したように本発明の杭打機のホース類の支持装置は、リーダのほぼ中間高さ位置に設けられベースマシンからのホース類を吊持するハンガーと、リーダのガイドレールに摺動可能に係合してウインチに吊下げられた上部ガイドと、リーダの下部に固設されホース類の移動に伴って回動する下部ガイドとからなり、前記上部ガイドは該ハンガーからのホース類を吊持する固定ガイド部と、固定ガイド部から下部ガイドを経由したホース類を掘削具へ案内する回動可能な回動ガイド部とで構成したので、ホースリールを必要とせずに、リーダ長さのほぼ３倍の深さまで、掘削具を地中に深進させることができる。
【００２９】
また、チェーンの一端を前記上部ガイドに係止し、他端を下部ガイドおよび上部ガイドの回動ガイド部を経由させて掘削具へ係止し、チェーンに所定間隔毎にホース類を係止したクランプを設け、掘削具の掘進に伴ってホース類にかかる引張力をチェーンで受けるようにすれば、上部ガイドを常時吊持させることができ、掘削具の掘進に伴って同期させて下降させるといった制御も必要としない。
【００３０】
また、本装置を杭打機に取り付ける場合に、クレーンを必要としないので、作業現場における組付作業が簡素となる。
【図面の簡単な説明】
【図１】本発明の一実施形態としての全体の構成を示す側面図である。
【図２】同 ホース類の掛け渡しの状態を示す説明図である。
【図３】同  上部ガイド１１と下部ガイド１２の詳細を示す正面図と側面図である。
【図４】同  クランプ２８の詳細を示す正面図である。
【図５】同  チェーン３５の掛け渡し状態を示す側面図である。
【図６】本発明の上部ガイド１１および下部ガイド１２を杭打機に組付ける状態図である。
【図７】従来のホース類の支持装置を示す側面図である。
【符号の説明】
１…ベースマシン          ２…リーダ
２ａ…ガイドレール        ３…バックステー
４…ケリーバ              ５…掘削具
６…ケーブル              ７…油圧ホース
８…ハンガー              ９…ペンダントロープ
１１…上部ガイド          １２…下部ガイド
１３…ウインチ            １４…ワイヤ
１５…トップシーブ        １６…ウインチ
１７…ワイヤ              ２１…上部ガイド体
２２…連結部材            ２３…軸
２４…ガイド              ２５…ガイドローラ
２６…固定ガイド部        ２６ａ…外プレート
２６ｂ…ガイド棒          ２７…回動ガイド部
２７ａ…外プレート        ２８…クランプ
２９…スプロケット        ３１…下部ガイド体
３２…軸                  ３３…係止部材
３４…スプロケット        ３５…チェーン
３５ａ…チェーンリンク    ３７…端部
４０…連結金具            ４１、４２…プレート
４３、４４…クランプ材    ４５、４６…係止孔
４７…ボルト              ５０…ケーブルリール
５１…ホースリール
【図１】
0004163335.tif 000002
【図２】
0004163335.tif 000003
【図３】
0004163335.tif 000004
【図４】
0004163335.tif 000005
【図５】
0004163335.tif 000006
【図６】
0004163335.tif 000007
【図７】
0004163335.tif 000008